(57)【要約】      （修正有）【課題】機械式腕時計の、実際の使用状況を考慮することで動作を調整する方法を提供する。【解決手段】電子装置は、電子装置がさらされているパラメータを測定するために設けた少なくとも１つの測定センサと、測定センサから提供されたデータを機械式腕時計の外部にあるデータ受信装置に送信するために設けたデータ送信装置とを備え、電子装置がさらされている物理的パラメータの値を、測定センサを用いて周期的に測定するステップ２０と、測定センサから提供されたデータを外部のデータ受信装置に送信するステップ２２と、データ受信装置に送信されたデータを記録して分析し、そこから電子装置がさらされている状況を割り出すステップ２４と、使用状況に応じて機械式腕時計の動作を調整するためのパラメータを確定するステップ２６とを連続して含む。【選択図】図４
2018096979.tif 000002
【特許請求の範囲】
【請求項１】
電子装置（６）を用いて機械式腕時計（１）の動作を調整するためのパラメータを確定する方法であって、前記電子装置は、
−前記電子装置（６）がさらされている少なくとも１つの物理的パラメータを測定するように構成された少なくとも１つの測定センサ（８）と、
−前記測定センサ（８）から提供されたデータを前記機械式腕時計（１）の外部にあるデータ受信装置（１４）に送信するように構成されたデータ送信装置（１２）と
を備えている方法であって、
前記方法は、
−前記電子装置（６）がさらされている前記物理的パラメータの値を、前記測定センサ（８）を用いて周期的に測定するステップ（２０）と、
−前記測定センサ（８）から提供されたデータを前記データ受信装置（１４）に送信するステップ（２２）と、
−前記データ受信装置（１４）に送信されたデータを記録して分析し、そこから前記電子装置（６）がさらされている状況を割り出すステップ（２４）と、
−前記使用状況に応じて前記機械式腕時計（１）の動作を調整するためのパラメータを確定するステップ（２６）と
を連続して含む、方法。
【請求項２】
最初に前記使用状況に応じて確定されたパラメータを調整して前記機械式腕時計（１）の動作を調整することからなる補足ステップ（２８）を含むことを特徴とする、請求項１に記載の方法。
【請求項３】
前記電子装置（６）は、ステップ（３０）で、前記少なくとも１つの測定センサ（８）から提供されたデータを保存するメモリ空間（１０）をさらに備えていることを特徴とする、請求項１または請求項２に記載の方法。
【請求項４】
前記少なくとも１つの測定センサ（８）は、少なくとも１つの加速度計（８ａ）および／または１つのジャイロメータおよび／または１つの磁気センサ（８ｂ）および／または１つの温度センサ（８ｃ）および／または１つの圧力センサおよび／または１つの相対湿度センサを備え、前記少なくとも１つの測定センサ（８）から提供されたデータは、前記腕時計がさらされている加速度に関するデータおよび／または磁気誘導に関するデータおよび／または温度に関するデータを少なくとも含むことを特徴とする、請求項１から請求項３のいずれかに記載の方法。
【請求項５】
前記データの記録は、前記機械式腕時計（１）が着用されている期間にわたって行われることを特徴とする、請求項１から請求項４のいずれかに記載の方法。
【請求項６】
前記データを送信する前記ステップ（２２）、前記データを分析する前記ステップ（２４）、前記使用状況に応じて前記機械式腕時計（１）の動作を調整するためのパラメータを確定する前記ステップ（２６）、および前記機械式腕時計（１）の動作を調整する前記ステップ（２８）は、前記機械式腕時計（１）のメンテナンスまたは修理の段階で行われることを特徴とする、請求項１から請求項５のいずれかに記載の方法。
【請求項７】
腕時計ケース（４）に接続しているバンド（２）と、請求項１から請求項６のいずれかに記載の方法を実施するように適応した電子装置（６）とを備える、機械式腕時計であって、前記電子装置（６）は、前記腕時計ケース（４）の内部または前記機械式腕時計（１）の前記バンド（２）の内部、または前記バンド（２）に備わっている開くバックルタイプの留め金に収容され、前記電子装置（６）は、前記機械式腕時計（１）がさらされている物理的パラメータを測定するために設けた少なくとも１つの測定センサ（８）、および前記少なくとも１つの測定センサ（８）から提供されたデータを前記機械式腕時計（１）の外部にあるデータ受信装置（１４）に送信するために設けたデータ送信装置（１２）を備える、機械式腕時計。
【請求項８】
前記電子装置は、前記少なくとも１つの測定センサ（８）から提供されたデータを保存するために設けたメモリ空間（１０）を備えていることを特徴とする、請求項７に記載の機械式腕時計。
【請求項９】
前記少なくとも１つの測定センサ（８）は、少なくとも１つの加速度計（８ａ）および／または１つのジャイロメータおよび／または１つの磁気センサ（８ｂ）および／または１つの温度センサ（８ｃ）および／または１つの圧力センサおよび／または１つの相対湿度センサを備えていることを特徴とする、請求項７または請求項８に記載の機械式腕時計。
【請求項１０】
請求項１から請求項６のいずれかに記載の方法を実施するように適応した電子装置（６）を備えるバンドであって、前記電子装置（６）は、前記バンド（３２）がさらされている物理的パラメータを測定するために設けた少なくとも１つの測定センサ（８）と、前記少なくとも１つの測定センサ（８）から提供されたデータを前記バンド（３２）の外部にあるデータ受信装置（１４）に送信するように構成されたデータ送信装置（１２）とを備える、バンド。
【発明の詳細な説明】
【技術分野】
【０００１】
本発明は、機械式腕時計の動作を調整するためのパラメータを確定する方法、さらに詳細には、機械式腕時計の動作をその腕時計の使用状況に応じて調整するためのパラメータを確定する方法に関する。
【背景技術】
【０００２】
公知のように、機械式腕時計は、時針と秒針との組を駆動するぜんまい仕掛けの機械式ムーブメントを腕時計ケース内に備えている。ぜんまい仕掛けの機械式ムーブメントは、とりわけ渦巻ばね、テン輪および脱進機を備え、これらが一緒になってぜんまい仕掛けのムーブメントの時間軸を形成する。
【０００３】
機械式腕時計は、最も精密なものであっても、一日当たり２、３秒進んだり遅れたりする。時間軸（一般に腕時計の「動作（ｗｏｒｋｉｎｇ）」と呼ばれる）を調整するのは、このように進んだり遅れたりするのをできる限り抑えることが目的である。
【０００４】
機械式腕時計の動作は、脱進機によってテン輪に伝達される力のモーメントの変動、または渦巻ばねの立体形状など、とりわけぜんまい仕掛けのムーブメントに固有の機械的パラメータに左右される。このような機械的パラメータは、腕時計メーカーにはよく知られており、機械式腕時計の動作を調整するために腕時計の製造の最後またはメンテナンス中に考慮される。
【０００５】
同様に、機械式腕時計の動作は、腕時計外部のパラメータ、とりわけ腕時計が使用されている状況に左右される。腕時計メーカーは通常、標準の使用状況に基づいて腕時計の動作を調整する。しかしながら、このような標準の使用状況は推定するのが困難な上に、特定の腕時計の実際の使用状況に必ずしも対応しているわけではない。
【発明の概要】
【発明が解決しようとする課題】
【０００６】
本発明は、機械式腕時計の動作を調整する方法であって、その腕時計の実際の使用状況を考慮する方法を提案することによって、上記の欠点を解消するとともにその他の欠点も解消することを目的とする。
【課題を解決するための手段】
【０００７】
そのために、本発明は、電子装置を用いて機械式腕時計の動作を調整するためのパラメータを確定する方法であって、電子装置が、
−電子装置がさらされている少なくとも１つの物理的パラメータを測定するように構成された少なくとも１つの測定センサと、
−測定センサから提供されたデータを腕時計の外部にあるデータ受信装置に送信するように構成されたデータ送信装置と
を備えている、方法を提案する。
【０００８】
本発明による方法は、
−電子装置がさらされている物理的パラメータの値を、測定センサを用いて測定するステップと、
−測定センサから提供されたデータを外部のデータ受信装置に送信するステップと、
−外部のデータ受信装置によって収集されたデータを記録して分析し、そこから電子装置がさらされている状況を割り出すステップと、
−その使用状況に応じて機械式腕時計の動作を調整するためのパラメータを確定するステップと
を含む。
【０００９】
そのため、本発明による方法により、機械式腕時計を調整するためのパラメータを、その機械式腕時計が使用されている実際の状況に応じてできる限り改善することが可能になる。
【００１０】
本発明の一実施形態によれば、本方法は、最初に使用状況に応じて確定されたパラメータを調整して機械式腕時計の動作を調整することからなる補足ステップを含む。
【００１１】
機械式腕時計がさらされている１つまたは複数の物理的パラメータの値を収集する電子装置は、腕時計ケースの内部または腕時計のバンドの内部に設けることが可能であることが好ましい。この場合、機械式腕時計が使用されている実際の状況に関するデータを分析した後、腕時計のムーブメントの動作の調整が腕時計のメンテナンスまたは修理の段階で行われる。そのため、データの分析および腕時計の調整は、機械式ムーブメントを備えた腕時計の専門家であるプロによって行われる。
【００１２】
電子装置がさらされている物理的パラメータの値を利用する別の方法は、例えば腕時計を販売するアウトレットで使用者が入手できる単純なバンド内に電子装置を収容するという方法である。この場合、使用者は、腕時計を着用する手首にそのバンドを数日間着用する。その期間中、バンドに収容されている電子装置がさらされている１つ（または複数）の物理的パラメータの値を測定センサが測定する。この数日が経過した後、使用者は自分のバンドを腕時計販売店に返し、測定センサから提供されたデータが分析される。そのため、これらのデータを分析することにより、顧客がバンドを着用している様子を確定することができ、かつその顧客に、どれもが互いに別々に調整されている機械式腕時計の品揃えの中から、顧客が自分の腕時計を着用している様子に最も合った調整がなされている腕時計を提案することができる。
【００１３】
本発明の一実施形態によれば、電子装置は、少なくとも１つの測定センサから提供されたデータを保存するメモリ空間を備えている。
【００１４】
電子装置がメモリ空間を備えていない場合、測定センサから提供されたデータは、外部のデータ受信装置、例えば測定センサによって収集されたデータを記録して分析するアプリケーションを備えている携帯電話に直接送信され、そこから電子装置がさらされている状況を割り出す。電子装置がメモリ空間を備えている場合、測定センサによって収集されたデータは、即座にそのメモリ空間に保存され、その後、外部のデータ受信装置に送信されてそこで分析され、電子装置がさらされている状況、およびそれに伴い使用者が着用している機械式腕時計がさらされている状況を確定する。
【００１５】
本発明の一実施形態によれば、電子装置は、少なくとも１つの加速度計および／または１つのジャイロメータおよび／または１つの磁気センサおよび／または１つの温度センサおよび／または１つの圧力センサおよび／または１つの相対湿度センサを備え、電子装置から提供されるデータは、機械式腕時計がさらされている角加速度などの加速度に関するデータ、および／または磁気誘導に関するデータおよび／または温度に関するデータおよび／または圧力に関するデータおよび／または相対湿度に関するデータを少なくとも含んでいる。
【００１６】
したがって、本発明による方法により、場合によって、時間の経過に伴って機械式腕時計がさらされる加速度および／または腕時計が受ける時間の経過に伴う温度変化および／または圧力変化および／または相対湿度の変化および／または磁場変化に応じて、機械式腕時計の調整を改善することが可能になる。これらのパラメータは、機械式腕時計の時間軸の動作が不正確になる最大の原因となりやすいものである。
【００１７】
本発明はまた、腕時計ケースに接続しているバンドと、本発明による方法を実施するように適応した電子装置であって、この電子装置が、腕時計ケースの内部または腕時計のバンドの内部に収容され、この電子装置が、機械式腕時計がさらされている物理的パラメータを測定するために設けた少なくとも１つの測定センサと、測定センサから提供されたデータを腕時計の外部にあるデータ受信装置に送信するために設けたデータ送信装置とを備える、電子装置とを備える、機械式腕時計を提供する。
【００１８】
本発明の一実施形態によれば、電子装置は、測定センサから提供されたデータを保存するために設けたメモリ空間を備えている。
【００１９】
本発明の一実施形態によれば、電子装置は、少なくとも１つの加速度計および／または１つのジャイロメータおよび／または１つの磁気センサおよび／または１つの温度センサおよび／または１つの圧力センサおよび／または１つの相対湿度センサを備えている。
【００２０】
本発明のその他の特徴および利点は、本発明による方法を実施するための実施例に関する以下の詳細な説明から一層明確になるであろう。この実施例は、単に例示として非限定的に挙げたものであり、添付の図面と合わせて読むべきものである。
【図面の簡単な説明】
【００２１】
【図１】本発明による方法を実施するように適応した機械式腕時計の図である。
【図２】図１の腕時計の変形例である。
【図３】本発明を実施するのに必要な基本構成要素の詳細図である。
【図４】本発明による方法のステップを示す概略図である。
【図５】本方法を実施するように適応した別の実施形態の変形例を示す図である。
【発明を実施するための形態】
【００２２】
本発明は、機械式腕時計の実際の使用状況に関連するデータを収集し、そのデータを考慮して機械式腕時計の動作の調整を改善することからなる一般的な発明の案から着想したものである。
【００２３】
そのために、その全体が概略符号１で示されている本発明による機械式腕時計は、腕時計ケース４に接続しているバンド２と電子装置６とを備えている。
【００２４】
図１に示した本発明の一実施形態によれば、電子装置６は、バンド２のストランド２ａまたは２ｂのいずれか一方に収容されるか、さもなければ電子装置の構成要素は２つのストランド２ａと２ｂに分けて配置され、この場合、２つのストランド２ａおよび２ｂは互いに電気的に接続される。
【００２５】
図２に示した本発明の別の実施形態によれば、電子装置６は腕時計ケース４の内部に収容され、この腕時計ケース４は、公知の技術によって水に対して気密性になるようにシールされている。
【００２６】
図示していない本発明のさらに別の実施形態によれば、電子装置６は、バンド２が取り付けられている開くバックルタイプの留め金構造に固定されてもよい。
【００２７】
電子装置６は、とりわけ（図３を参照）、必要に応じて、機械式腕時計１がさらされている物理的パラメータを測定するために設けた少なくとも１つの測定センサ８と、少なくとも１つの測定センサ８から提供されたデータを保存するために設けたメモリ空間１０と、測定センサ８から提供されたデータを機械式腕時計１の外部にあるデータ受信装置１４に送信するように構成されたデータ送信装置１２とを備えている。図３では、データの転送経路を太線矢印で示している。データの転送は、有線接続によって、コネクタおよびケーブル、例えばＵＳＢタイプのものを用いて、または例えばブルートゥース（登録商標）タイプ、あるいはＲＦＩＤ技術に基づくニアフィールドタイプの無線接続によって行うことができる。
【００２８】
図３に示した実施例では、測定センサ８の数は３つで、加速度計８ａ、磁気センサ８ｂおよび温度センサ８ｃを備えている。メモリ空間１０は、ここでは複数の測定センサ８、メモリ空間１０およびデータ送信装置１２を制御する総合機能を有するマイクロコントローラ１６に組み込まれている。図３では、制御信号を細線矢印で示している。
【００２９】
再び図３の実施例では、電子装置６はこのほか、複数の測定センサ８、マイクロコントローラ１６およびそのメモリ空間１０ならびにデータ送信装置１２にも電気エネルギーを供給するために、例えばアキュムレータなどの電気エネルギー源１８を備えている。
【００３０】
言うまでもなく、本発明は上記の実施形態に限定されるものではなく、添付の特許請求の範囲に規定した本発明の範囲を逸脱せずに、様々な修正例および簡易な変形例が当業者によって構想され得る。
【００３１】
例えば、複数の測定センサ８は、単一のセンサ、例えば１つの加速度計８ａからなり、そのセンサがそれ自体のメモリ空間およびそれ自体の制御マイクロコントローラを組み込んでいてもよい。この場合、センサの外部にあるマイクロコントローラおよびメモリ空間は、極めて当然のことだが必須ではない。
【００３２】
別の実施例では、電気部品および電子部品を操作するためのエネルギーは、腕時計を着用している人の動きによって、かつ／または外部のデータ受信装置によって供給されてもよい。この場合、新たに別の電気エネルギー源は必須ではない。実際、電気部品および電子部品に給電するために採用されている対策は、基本的には１つまたは複数のセンサから提供される測定信号を取得する頻度、および測定センサから提供されるデータがデータ受信装置に転送されるまでの通信時間に応じて異なる。着用者の動きまたは環境（太陽エネルギー）のいずれかから得られるエネルギーに加えて、内蔵型のエネルギー源を備えるという併用対策も構想可能である。このような対策にすると、例えば着用時の動きが活発なときは（外部からのエネルギー供給により）測定のサンプリング周波数を上げることが可能になる一方で、動きが活発でない場合には情報を大幅に損失することなくそのサンプリング周波数を下げることが可能になる。
【００３３】
本発明の好適な実施形態では、電子装置６は、測定センサ８から提供されたデータを保存するメモリ空間１０を備えている。ただし、電子装置６がメモリ空間を備えていないことも同じく構想可能であり、この場合、測定センサ８から提供されたデータは、携帯電話などの外部のデータ受信装置に直接送信され、そのデータ受信装置は、測定センサ８から提供されたデータを記録して分析するためのアプリケーションを備えていてよい。電子装置６がメモリ空間１０を備えている場合、電子装置６がさらされている物理的パラメータであって、測定センサ８によって測定される物理的パラメータに関するデータは、メモリ空間１０に一時的に保存され、その後データ受信装置１４に転送されてそこで分析され、そこから電子装置６がさらされている状況を割り出し、それによって機械式腕時計１の調整を可能にする。
【００３４】
本発明による機械式腕時計は、図４に概略的に示した本発明による方法を実施するように適応し、本方法は、
−ステップ２０で、電子装置６がさらされている物理的パラメータの値を、測定センサ８を用いて周期的に測定するステップと、
−ステップ２２で、記録されたデータを機械式腕時計１の外部にあるデータ受信装置１４に送信するステップと、
−ステップ２４で、送信されたデータを記録して分析し、そこから機械式腕時計１の使用状況を割り出すステップと、
−ステップ２６で、ステップ２４で確立した使用状況に応じて機械式腕時計１の動作を調整するためのパラメータを確定するステップと、
−ステップ２８で、使用状況に応じて機械式腕時計１のムーブメントの動作を調整するステップと
を含む。
【００３５】
複数の測定センサ８によって収集されたデータを送信するステップ２２の前に、後にデータ受信装置１４に転送するためにステップ３０でこれらのデータをメモリ空間１０に一時的に保存してもよい。
【００３６】
１つまたは複数のセンサ８は、機械式腕時計１がどのように使用されていても、連続して測定を行うことができる。あるいは、１つまたは複数のセンサ８は、機械式腕時計１が使用者に着されているときだけ測定を行う。また、加速度計８ａが連続して測定を行うこと、および加速度計８ａが機械式腕時計１の動きを検知したときだけ、すなわち機械式腕時計が使用者に着用されているときだけマイクロコントローラ１６が他の測定センサを作動させることを検討することも可能である。１つまたは複数のセンサによって行われる測定は、測定されたパラメータの変動を検知するためにかなり短い規則的な時間間隔で行われる。例えばこの時間間隔は、加速度計８ａの場合はおよそ十分の数秒から数十秒、あるいは磁気センサ８ｂもしくは温度センサ８ｃの場合は数分である。
【００３７】
ステップ３０では、１つまたは複数のセンサによって収集されたデータをメモリ空間１０に記録する。これは基本的に、機械式腕時計１が使用者に着用されているとき、すなわち機械式腕時計１が動いていることが検知されたときに１つまたは複数のセンサによって収集されたデータが対象となる。しかし、腕時計が動かされていないときでも環境状況（磁場、温度、気圧、残留湿度）に関するデータを同じように測定できる。機械式腕時計１がさらされている物理的パラメータの測定値に加えて、収集されたデータも同じように、機械式腕時計１が着用されている期間および機械式腕時計１が静止している期間の指標を含んでいてよい。
【００３８】
ステップ２２では、保存されたデータを、機械式腕時計１の外部にあるデータ受信装置１４に送信する。この送信は、どのような種類の接続を介して行われてもよいが、例えばブルートゥース接続などの無線接続が好ましい。
【００３９】
ステップ２４では、送信されたデータを分析して腕時計の使用状況を確定し、とりわけ、
−機械式腕時計１が受ける角加速度などの加速度に関するデータを分析して、腕時計がもっとも頻繁に置かれるのはどの態勢か、つまり垂直態勢か、水平態勢か、傾斜態勢かを確定し、かつそのときの腕時計のテン輪レベルでの摩擦の変化を推定する。この摩擦は機械式腕時計１の動作に影響を及ぼすと思われるものである。
−機械式腕時計１が受ける誘導に関するデータを分析して、腕時計がさらされている磁場の時間の経過に伴う変化を確定し、その磁場が機械式腕時計１の動作に及ぼす影響を推定する。
−機械式腕時計１が暴露される温度に関するデータを分析して、機械式腕時計１が受ける時間の経過に伴う温度変化を確定し、その温度がとりわけ機械式腕時計１の渦巻ばねおよびテン輪に及ぼす影響（拡張または収縮）を推定し、それによって機械式腕時計１の動作に及ぼす影響を推定する。
−圧力および湿度に関するデータは、潤滑剤の劣化に影響する物理値についての指標を示し、それによって腕時計の可動部品の摩擦および腕時計の動作についての指標を示す。
−角加速度に関するデータは、ムーブメントの可動要素が受ける回転に関して有益な情報を与え、衝撃および腕時計の動作に及ぶその他の機械的妨害、例えば着用者の突飛な動きなどに関して加速度計が示す情報を補足するものである。
【００４０】
ステップ２６では、機械式腕時計１のムーブメントの動作を改善するために行わなければならない調整は、ステップ２４で確定された機械式腕時計１の使用状況に応じて確定される。
【００４１】
最後に、ステップ２８では、機械式腕時計１の動作は、腕時計の動作を改善するために行うべき調整に応じて調整され、この調整はステップ２６で確定されたものである。
【００４２】
送信ステップ２２、分析ステップ２４、調整パラメータを確定するステップ２６および調整ステップ２８は、機械式腕時計１のメンテナンスまたは修理の段階で行われることが好ましい。したがって、データの分析および機械式腕時計１の調整は、機械式ムーブメントを備えた腕時計の専門家であるプロによって行われる。例えば腕時計の修理を行い、重要な可動部品への潤滑剤を新しく取り替えることをプロが決定することもあり得る。
【００４３】
本発明はまた、図５に示したバンド３２にも関する。このバンド３２は、前述した種類の電子装置６であって、前述した変形例の１つによる方法を実施するように適応し、バンド３２がさらされている物理的パラメータを測定するために設けた少なくとも１つの測定センサ８と、少なくとも１つの測定センサ８から提供されたデータをバンド３２の外部にあるデータ受信装置１４に送信するために設けたデータ送信装置１２とを備えている、電子装置を備えている。電気エネルギー源１８を同じように設けなければならない。
【００４４】
また、電子装置６およびその構成部品をモジュールの形態に設計し、そのモジュールを試験期間にわたって例えば腕時計のバンド上または腕時計のケース上などの外部に固定することを構想してもよい。また、そのようなモジュールを腕時計ケースの内部に暫定的に収容することも構想可能である。
【００４５】
本明細書は、電子装置６がさらされている物理的パラメータの値を測定するステップ２０が測定センサ８を用いて周期的に行われることを明記している。「周期的に」とは、電子装置６がさらされている１つ（または複数）の物理的パラメータの値が記録される期間の長さにわたって測定が行われなければならないという意味である。その一方で、これらの測定記録は、規則的な時間間隔で行われてもよいしそうでなくてもよい。
【符号の説明】
【００４６】
１  機械式腕時計
２  バンド
２ａ、２ｂ  バンドのストランド
４  腕時計ケース
６  電子装置
８  測定センサ
８ａ  加速度計
８ｂ  磁気センサ
８ｃ  温度センサ
１０  メモリ空間
１２  データ送信装置
１４  データ受信装置
１６  マイクロコントローラ
１８  電気エネルギー源
２０  物理的パラメータの値を測定するステップ
２２  データを送信するステップ
２４  送信されたデータを分析するステップ
２６  機械式腕時計の動作を調整するためのパラメータを確定するステップ
２８  機械式腕時計の動作を調整するステップ  
３０  測定センサによって収集されたデータを記録するステップ  
３２  バンド 
【図１】
2018096979.tif 000003
【図２】
2018096979.tif 000004
【図３】
2018096979.tif 000005
【図４】
2018096979.tif 000006
【図５】
2018096979.tif 000007